(57)【要約】【課題】バックアップ用メディアとして使用される複数種類のメディアに対し、予め格別なデータを記録しておく必要がないようにする。【解決手段】複数種類のメディアのなかからバックアップ用メディアとして使用するメディアを指定するバックアップ用メディア指定手段と、バックアップ用メディアにバックアップを行うデータファイルを指定するバックアップ対象ファイル指定手段とを設ける。そして、バックアップ用メディア指定手段及びバックアップ対象ファイル指定手段により指定されたバックアップ用メディア及びバックアップ対象ファイルの情報を記憶する。そして、このバックアップ情報記憶手段により記憶された情報に基づきバックアップ用メディアにバックアップ対象ファイルのデータを書込んでバックアップを行う。【選択図】      図３
2005157477.tif 000002
【特許請求の範囲】
【請求項１】
装置本体に着脱自在な複数種類のメディアをデータファイルのバックアップ用メディアとして使用可能な情報処理装置において、
前記複数種類のメディアのなかからバックアップ用メディアとして使用するメディアを指定するバックアップ用メディア指定手段と、
バックアップを行うデータファイルを指定するバックアップ対象ファイル指定手段と、
前記バックアップ用メディア指定手段及び前記バックアップ対象ファイル指定手段により指定されたバックアップ用メディア及びバックアップ対象ファイルの情報を記憶させるバックアップ情報記憶手段と、
このバックアップ情報記憶手段により記憶された情報に基づき前記バックアップ用メディアに前記バックアップ対象ファイルのデータを書込んでバックアップを行うバックアップ処理手段と、
を具備したことを特徴とする情報処理装置。
【請求項２】
前記バックアップ処理手段は、前記バックアップ情報記憶手段により記憶された情報からバックアップ用メディアの残容量を取得する残容量取得手段、及び、前記バックアップ情報記憶手段により記憶された情報からバックアップ対象ファイルを１ファイルずつ認識しそのファイルのサイズと前記残容量取得手段により取得した前記バックアップ用メディアの残容量とを比較してバックアップ可能なバックアップ対象ファイルを選択するバックアップファイル選択手段を有し、
前記バックアップファイル選択手段により選択されたバックアップ対象ファイルのデータを前記バックアップ用メディアに書込んでバックアップを行うことを特徴とする請求項１記載の情報処理装置。
【請求項３】
前記バックアップ対象ファイル毎にバックアップの優先度を設定するバックアップ優先度設定手段を設け、
前記バックアップファイル選択手段は、優先度が高い順番にバックアップ対象ファイルのサイズと前記バックアップ用メディアの残容量とを比較してバックアップ可能なバックアップ対象ファイルを選択することを特徴とする請求項２記載の情報処理装置。
【発明の詳細な説明】
【技術分野】
【０００１】
本発明は、ノート型パーソナルコンピュータ（以下、ノート型パソコンと略称する）等の情報処理装置に関し、特に、装置本体に着脱自在なメディア、例えば磁気ディスク，光磁気ディスク，光ディスク，フラッシュメモリカード等を使用可能な情報処理装置に関する。
【背景技術】
【０００２】
例えば事務用コンピュータは、売上請求管理業務，見積管理業務，給与計算業務等の事務業務を処理し、請求書，見積書，給与明細等の各種書類の作成及び発行や、元帳の作成，各種分析資料の作成等を可能にした専用の情報処理装置であり、各種業態の企業体で広く実用化されている。また最近では、各種の事務業務毎にアプリケーションソフトウェアが開発され販売されており、これらのアプリケーションソフトウェアを汎用の情報処理装置であるパーソナルコンピュータ（以下、パソコンと略称する）にインストールし実行することによって、パソコンを事務用コンピュータとして使用することも行われている。
【０００３】
このような事務用コンピュータの分野では、システムの障害や誤操作等によって固有のプログラムデータや業務データ等の重要なデータが格納されたデータファイルが消失してしまうのを防ぐために、データファイルのバックアップを行うことが定着している。例えば、専用の事務用コンピュータにおいて、業務用と保存用の２基のハードディスクを搭載し、毎日の作業終了時（電源オフ時）に業務用ハードディスクの内容を保存用ハードディスクに自動的に書込んでバックアップを行うようにした機能は既に知られている。また、１基のハードディスクしか搭載しないパソコン等の情報処理装置においても、磁気ディスク，光磁気ディスク，光ディスク，フラッシュメモリカード等の装置本体に着脱自在なメディアがパソコン本体にセットされたとき、そのメディアに記録されている所定のデータを読出し、そのデータに基づいて装置内蔵の記憶媒体から読み出した各種データを自動的に上記メディアに書込んでバックアップする機能が知られていた（例えば、特許文献１，２参照）。
【特許文献１】特開平６−３１４１７５号公報
【特許文献２】特開２００２−９１８３２公報
【発明の開示】
【発明が解決しようとする課題】
【０００４】
ところで、事務用コンピュータとして機能させるパソコンとして従来は高性能のデスクトップ型パソコンが用いられていたが、最近のノート型パソコンの性能向上には著しい進歩があるため、ノート型パソコンを事務用コンピュータとして機能させることも可能となってきた。持ち運びが容易なノート型パソコンを事務用コンピュータとして機能させることができれば、例えばユーザが客先に出向いた際に顧客の面前で見積書や請求書を作成する運用を取ることができ、便利である。
【０００５】
しかしノート型パソコンは、通常、内蔵のハードディスクが１基であるため、事務用コンピュータとして用いるには、データファイルのバックアップ先として外付のメディアが必要となる。そして、業務終了時にバックアップを自動的に行わせるには、従来は、所定のデータが記録された専用のメディアを使用しなければならなかったので、例えば客先で事務業務を処理するためにノートパソコンを持ち出した際にバックアップ専用のメディアを忘れてしまうと、バックアップができなくなるという不具合があった。また、バックアップ専用のメディアを所持していたとしても、記憶容量が小さいために容量オーバーとなって重要なデータファイルをバックアップできなくなることがあった。
【０００６】
本発明はこのような事情に基づいてなされたもので、その目的とするところは、装置本体に着脱自在でかつデータファイルのバックアップ用メディアとして使用される複数種類のメディアに対し、予め格別なデータを記録しておく必要がなく、しかも、重要なデータファイルをバックアップし損ねるのを防ぐことができる情報処理装置を提供しようとするものである。
【課題を解決するための手段】
【０００７】
本発明は、装置本体に着脱自在な複数種類のメディアをデータファイルのバックアップ用メディアとして使用可能な情報処理装置において、上述した技術的課題を解決するために、複数種類のメディアのなかからバックアップ用メディアとして使用するメディアを指定するバックアップ用メディア指定手段と、バックアップを行うデータファイルを指定するバックアップ対象ファイル指定手段と、バックアップ用メディア指定手段及びバックアップ対象ファイル指定手段により指定されたバックアップ用メディア及びバックアップ対象ファイルの情報を記憶するバックアップ情報記憶手段と、このバックアップ情報記憶手段により記憶された情報に基づきバックアップ用メディアにバックアップ対象ファイルのデータを書込んでバックアップを行うバックアップ処理手段とを備えたものである。
【発明の効果】
【０００８】
かかる手段を講じた本発明によれば、装置本体に着脱自在でかつデータファイルのバックアップ用メディアとして使用される複数種類のメディアに対し、予め格別なデータを記録しておく必要がなく、しかも、重要なデータファイルをバックアップし損ねるのを防ぐことができる情報処理装置を提供できる。
【発明を実施するための最良の形態】
【０００９】
以下、本発明の実施の形態を図面を用いて説明する。  
なお、この実施の形態は、各種の事務業務毎に開発された複数のアプリケーションソフトウェアがインストールされ、事務用コンピュータとして使用することが可能なノート型パソコンに本発明を適用した場合である。
【００１０】
図１は、本実施の形態である情報処理装置（ノート型パソコン）の要部構成を示すブロック図である。この情報処理装置は、装置本体１に、ＣＰＵ（Central Processing Unit）２，ＲＯＭ（Read Only Memory）３，ＲＡＭ（Random Access Memory）４，ＨＤＤ（Hard Disk Drive）装置５，キーボードコントローラ６，表示コントローラ７等を内蔵している。また、ＵＳＢ（Universal Serial Bus）等の標準化された通信インターフェイス８，マウスインターフェイス９，プリンタインターフェイス１０，ＰＣカードスロット１１，メモリカードスロット１２等が装置本体１に実装されている。さらに、キーボードコントローラ６によって制御されるキーボード１３と、表示コントローラによって制御されるディスプレイ１４とが、装置本体１に取り付けられている。ＣＰＵ２と、ＲＯＭ３，ＲＡＭ４，ＨＤＤ装置５，キーボードコントローラ６，表示コントローラ７，通信インターフェイス８．マウスインターフェイス９，プリンタインターフェイス１０，ＰＣカードスロット１１，メモリカードスロット１２とは、アドレスバス，データバス等のバスライン１５で接続されている。
【００１１】
ＰＣカードスロット１１には、ＰＣＭＣＩＡカードを介して外付タイプのＨＤＤ装置１６またはＭＯドライブ装置１７が着脱自在に接続される。メモリカードスロット１２には、フラッシュメモリカード１８が着脱自在に挿着される。そして本実施の形態では、ＨＤＤ装置５に保存されているプログラムデータや業務データ等の各種ファイルのバックアップ対象メディアとして、ＨＤＤ装置１６によってアクセス可能な外付ハードディスクと、ＭＯドライブ装置によってアクセス可能な光磁気ディスク（ＭＯ）と、フラッシュメモリカード１８とが選択的に用いられる。
【００１２】
なお、ＰＣカードスロットを２個備え、ＨＤＤ装置１６とＭＯドライブ装置１７の両方を同時に接続できるようにしてもよい。また、メモリカードスロット１２を省略し、メモリカードアダプタを介してＰＣカードスロット１１にフラッシュメモリカード１８を挿着できるようにしてもよい。
【００１３】
かかる構成の情報処理装置には、事務用コンピュータとして機能させるために、売上請求管理業務，見積管理業務，給与計算業務等の事務業務別に開発されたアプリケーションソフトウェア（以下、事務コンソフトと称する）がインストールされ、ＨＤＤ装置５に保存されている。そしてユーザが、これらの事務コンソフトを選択的に実行することにより、当該情報処理装置では、売上請求管理業務，見積管理業務，給与計算業務等の事務業務が処理され、請求書，見積書，給与明細等の各種書類の作成及び発行や、元帳の作成，各種分析資料の作成等が行われる。また、ＨＤＤ装置５に保存された各種のデータファイルに、作成された業務データ等が種別に格納される。
【００１４】
また、当該情報処理装置には、本発明に係わるファイルバックアップ方式を実現するためのアプリケーションソフトウェア（以下、バックアップ用ソフトと称する）がインストールされ、ＨＤＤ装置５に保存されている。そしてユーザは、必要に応じてこのバックアップ用ソフトを起動し、その業務メニューの中のバックアップシステム設定処理を実行する。
【００１５】
バックアップシステム設定処理が開始されると、ＣＰＵ２は、図２の流れ図に示すように、先ず、ＳＴ（ステップ）１として当該バックアップシステムの設定ファイルがＨＤＤ装置５に保存されているか否かを判断する。そして、保存されている場合には、ＳＴ２としてその設定ファイルのデータを読込む。保存されていない場合には、ＳＴ２の処理を省略する。
【００１６】
次に、ＣＰＵ２は、ＳＴ３としてディスプレイ１４にバックアップシステムの設定画面を表示させる。そして、ＳＴ２の処理にて設定ファイルのデータを読込んだ場合には、そのデータをバックアップシステム設定画面に反映させる。
【００１７】
バックアップシステム設定画面の一表示例を図３に示す。この画面には、バックアップドライブ名指定欄２１と、バックアップ対象メディア指定欄２２と、バックアップ対象ファイル指定欄２３とが形成されている。また、参照ボタン２４，確定ボタン２５，取消ボタン２６，保存ボタン２７及びキャンセルボタン２８が設けられている。
【００１８】
今、バックアップシステムの設定ファイルがＨＤＤ装置５に保存されていないとする。この場合、バックアップドライブ名指定欄２１及びバックアップ対象ファイル指定欄２３は空欄となる。また、バックアップ対象メディア指定欄２２は、いずれのメディアも指定されていない状態となる。
【００１９】
この状態において、ユーザは、キーボード１３またはマウスインターフェイス９に接続されたマウス（不図示）を操作して、バックアップドライブ名指定欄２１にプルダウン表示されるバックアップドライブ名の中からいずれか１つのドライブ名、例えば“Ｅ”を指定する。また、バックアップ対象メディア指定欄２２に表示されている外付ハードディスク（外付ＨＤＤ），光磁気ディスク（ＭＯ）及びフラッシュメモリカード（メモリカード）の３種類のメディアの中からバックアップ対象メディアとして機能させる１種類のメディア、例えばフラッシュメモリカード１８を指定する（バックアップ用メディア指定手段）。
【００２０】
次に、ユーザは、同じくキーボード１３またはマウスを操作して、バックアップ対象ディレクトリまたはファイルとそのバックアップ優先度を指定する。具体的には、参照ボタン２４を操作して、バックアップ対象ディレクトリまたはファイルが保存されている場所を探し、所望するディレクトリまたはファイルが見つかると確定ボタン２５を操作して、バックアップ対象ディレクトリまたはファイルとして指定する（バックアップ対象ファイル指定手段）。こうすることにより、当該バックアップ対象ディレクトリまたはファイルの名称がバックアップ対象ファイル指定欄２３に指定順に表示される。また、指定された順番に従ってバックアップ優先度が設定される（バックアップ優先度設定手段）。なお、本実施の形態では、バックアップ優先度が最も高いときを“１”とし、以後、順に“２”，“３”，…というように数値が大きくになるに従い優先度が低くなるものとする。
【００２１】
こうして、バックアップドライブ名，バックアップ対象メディア及びバックアップ対象ディレクトリまたはファイルを指定したならば、ユーザはその内容を確認し、間違いがなければ保存ボタン２７を、間違いがあればキャンセルボタン２８を操作する。
【００２２】
ＣＰＵ２は、ＳＴ３にてディスプレイ１４にバックアップシステム設定画面を表示後、キーボード１３またはマウスの操作入力を処理する。ここで、ＳＴ４としてキャンセルボタン２８の入力を検知した場合には、ＳＴ１０の処理に進み、バックアップシステム設定画面を消去して、このバックアップシステム設定処理を終了する。したがって、ユーザはキャンセルボタン２８を操作することによって、バックアップシステムの設定をやり直すことができる。
【００２３】
またＣＰＵ２は、ＳＴ５として保存ボタン２７の入力を検知した場合には、ＳＴ６としてバックアップドライブ名が指定されているか否か、また、ＳＴ７としてバックアップ対象メディアが指定されているか否か、また、ＳＴ８としてバックアップ対象のディレクトリまたはファイルが指定されているか否かを判断する。そして、少なくとも１項目のデータが指定されていない場合には、エラーメッセージをディスプレイ１４に表示させて、該当する項目のデータが指定されるのを待機する。したがって、必須項目の指定漏れを防ぐことができる。
【００２４】
バックアップドライブ名，バックアップ対象メディア及びバックアップ対象のディレクトリまたはファイルが全て指定されている場合には、ＣＰＵ２は、ＳＴ９として例えば図４に示すように指定された内容をテキスト形式で記憶したバックアップシステム設定ファイルをＨＤＤ装置５に保存する（バックアップ情報記憶手段）。
【００２５】
図４は、図３に示す画面の内容が指定された場合のバックアップシステム設定ファイルのデータ例であり、「ＢＫＵＰＤＥＦ＝Ｅ」はバックアップドライブ名が“Ｅ”であることを示し、「ＤＲＶＭＥＤＩＡ＝ＭＣ」はバックアップ対象メディアがフラッシュメモリカードであることを示し、「Ｃ：￥ＡＢＣ￥ＤＥＦ￥，１」はディレクトリ名「Ｃ：￥ＡＢＣ￥ＤＥＦ￥」のディレクトリがバックアップ対象ディレクトリであって、その優先度が“１”であることを示し、「Ｃ：￥ＧＨＩ￥ＪＫＬ．ｔｘｔ，２」はファイル名「Ｃ：￥ＧＨＩ￥ＪＫＬ．ｔｘｔ」のファイルがバックアップ対象ファイルであって、その優先度が“２”であることを示している。
【００２６】
その後、ＣＰＵ２は、ＳＴ１０としてバックアップ設定画面を消去したならば、このバックアップシステム設定処理を終了するものとなっている。
【００２７】
また、当該情報処理装置は、事務コンソフトが終了する毎に、バックアップ用ソフトによって図５の流れ図に示すファイルバックアップ処理が実行されるようになっている（バックアップ処理手段）。
【００２８】
すなわちＣＰＵ２は、事務コンソフトが終了すると、このファイルバックアップ処理を開始する。先ず、ＳＴ１１としてＨＤＤ装置５からファイルバックシステム設定ファイルのデータを読込むことができるか否かを判断する。ここで、当該設定ファイルのデータを読込み可能な場合には、ＣＰＵ２は、ＳＴ１２としてその設定ファイルに記憶されたデータを読込む。そして、ＳＴ１３としてその設定ファイルのデータからバックアップドライブ名とバックアップ対象メディアを認識する。
【００２９】
ここで、ＳＴ１４として当該バックアップドライブ名によって管理されるドライブに当該バックアップ対象メディアがセットされていることを確認すると、認識ＯＫと判断する。そしてＣＰＵ２は、ＳＴ１５として当該バックアップ対象メディアの残容量Ｘ（バイト）を取得し、ＲＡＭ４に形成されている残容量メモリに格納する（残容量取得手段）。なお、メディアの残容量Ｘは、周知の関数演算によって得ることができる。
【００３０】
次に、ＣＰＵ２は、ＳＴ１６としてＲＡＭ４に形成されているバックアップ対象メモリをクリアする。また、ＳＴ１７として同ＲＡＭ４に形成されている優先度カウンタメモリのカウント値Ａを“０”にリセットする。しかる後、ＣＰＵ２は、ＳＴ１８として上記カウント値Ａを“１”だけカウントアップしたならば、バックアップシステム設定ファイルのデータから優先度が“Ａ”のバックアップ対象ディレクトリまたはファイルの名称を認識する。
【００３１】
ここで、ＳＴ１９として優先度が“Ａ”のバックアップ対象ディレクトリまたはファイルの名称を認識し、その名称のディレクトリまたはファイルがＨＤＤ装置５に存在することを確認したならば、ＣＰＵ２は、ＳＴ２１としてそのディレクトリまたはファイルのサイズＹ（バイト）を取得する。そして、ＳＴ２２として残容量メモリの値からサイズＹを減算し、その差を残容量メモリに上書き保存する。
【００３２】
次に、ＣＰＵ２は、ＳＴ２３として残容量メモリの値が負か否かを判断する。残容量メモリの値が負でない場合には、ＣＰＵ２は、ＳＴ２４として優先度が“Ａ”のバックアップ対象ディレクトリまたはファイルの名称をバックアップ対象メモリに追加格納する（バックアップファイル選択手段）。
【００３３】
しかる後、ＣＰＵ２は、ＳＴ１８の処理に戻り、優先度カウンタメモリのカウント値Ａをさらに“１”だけカウントアップして、ＳＴ１９〜ＳＴ２４の各処理を繰り返し実行する。そして、ＳＴ２０にて優先度が“Ａ”のバックアップ対象ディレクトリまたはファイルの名称を認識できなくなるか、ＳＴ２３にて残容量メモリの値が負であることを確認すると、ＣＰＵ２は、ＳＴ２５の処理に進む。
【００３４】
ＳＴ２５では、ＣＰＵ２は、バックアップ対象メモリにバックアップ対象ディレクトリまたはファイルの名称が格納されているか否かを判断する。そして、格納されている場合には、ＣＰＵ２は、ＳＴ２６としてその名称のディレクトリまたはファイルをＨＤＤ装置５から読出し、バックアップドライブ名によって管理されているドライブを介してバックアップ対象メディアに書込んで、バックアップを実行する。
【００３５】
以上で、ＣＰＵ２は、このファイルバックアップ処理を終了する。なお、ＳＴ１１にてバックアップシステム設定ファイルのデータを読込むことができない場合、及びＳＴ１４にてバックアップシステム設定ファイルのデータからはバックアップドライブ名とバックアップ対象メディアとを認識できない場合には、バックアップ不可のエラーメッセージをディスプレイ１４に表示させて、このファイルバックアップ処理を終了するものとなっている。
【００３６】
このように、本実施の形態の情報処理装置においては、使用時、ユーザがバックアップシステムに対する設定、つまりはバックアップドライブ名及びバックアップ対象メディアの指定と、バックアップ対象ディレクトリまたはファイルの指定並びにそのバックアップ優先度の指定を行う。そうすると、これらの指定内容を記憶したバックアップシステム設定ファイルがＨＤＤ装置５に保存される。
【００３７】
この状態で、ユーザが事務コンソフトを実行して事務処理を行い、事務コンソフトを終了させると、ファイルバックアップ処理が実行される。そして、バックアップ対象メディアに指定されたメディアが当該情報処理装置に設けられている場合に、バックアップ対象ディレクトリまたはファイルとして指定されたディレクトリまたはファイルがＨＤＤ装置５から読み出され、上記バックアップ対象メディアに書込まれて、バックアップが行われる。
【００３８】
この場合において、バックアップを行うのに先立ち、バックアップ対象メディアの残容量Ａが求められる。また、予め設定された優先順位の高い順番にバックアップ対象ディレクトリまたはファイルのサイズが求められる。そして、バックアップ対象メディアが容量オーバーにならない範囲で、優先順位の高い順番にバックアップ対象ディレクトリまたはファイルが選択され、バックアップ対象メディアに書込まれる。
【００３９】
したがって、当該情報処理装置を客先に持ち出して使用するために、外付のＨＤＤ装置１６やＭＯドライブ装置１７を使用できない場合には、バックアップ対象メディアとして可搬性に優れたフラッシュメモリカードを指定する。そうすることにより、当該情報処理装置においてバックアップ処理が実行される毎に、優先順位の高い順にフラッシュメモリカードの記憶容量の範囲内でプログラムデータファイルや業務データファイル等がフラッシュメモリカードに書込まれてバックアップされるので、ＨＤＤ装置１６やＭＯドライブ装置１７を使用できない環境下でも重要なデータファイルをバックアップし損ねるのを防ぐことができる。しかも、フラッシュメモリカードには格別なデータを書込んでおく必要もないので、例えばフラッシュメモリカードを忘れても客先で入手したフラッシュメモリカードをそのままバックアップ対象メディアとして使用できる。
【００４０】
また、ＨＤＤ装置１６やＭＯドライブ装置１７を使用できる環境下であった場合には、バックアップシステム設定処理を実行して、ＨＤＤ装置１６やＭＯドライブ装置１７をバックアップ対象メディアとして指定することにより、そのメディアに予め指定したデータファイルをバックアップすることができる。ＨＤＤ装置１６やＭＯドライブ装置１７は、メモリカードと比較して大容量なので、より多くのデータファイルをバックアップすることができる。なお、この場合も、ハードディスクや光磁気ディスクに格別なデータを予め書込んでおく必要はない。
【００４１】
なお、前記実施の形態では、バックアップ対象メディアとして外付ハードディスク，光磁気ディスク及びフラッシュメモリカードの３種類を例示したが、例えばフレキシブル磁気ディスクや光ディスク等の他のメディアを着脱自在に使用可能な情報処理装置にも本発明は適用できるものである。
【００４２】
また、前記実施の形態では、バックアップ対象ファイルを指定した順番に優先度を自動的に設定したが、複数のバックアップ対象ファイルを指定した後、手動で個々に優先度を設定してもよい。
【００４３】
また、前記実施の形態では、事務用コンピュータとして使用することが可能なノート型パソコンに本発明を適用した場合を示したが、他の機能のコンピュータとして使用することが可能なノート型パソコン，デスクトップ型パソコン等の汎用パソコンや専用コンピュータ等に本発明を適用できるのは言うまでもないことである。
【図面の簡単な説明】
【００４４】
【図１】本発明の一実施の形態である情報処理装置の要部構成を示すブロック図。
【図２】同実施の形態における情報処理装置のＣＰＵが実行するバックアップシステム設定処理の要部を示す流れ図。
【図３】同実施の形態において情報処理装置のディスプレイに表示されるバックアップシステム設定画面の一例を示す模式図。
【図４】同実施の形態において情報処理装置に保存されるバックアップシステム設定ファイルの一例を示す模式図。
【図５】同実施の形態における情報処理装置のＣＰＵが実行するバックアップ処理の要部を示す流れ図。
【符号の説明】
【００４５】
１…情報処理装置本体、２…ＣＰＵ、５…内蔵ＨＤＤ装置、１２…メモリカードスロット、１３…ＰＣカードスロット、１３…キーボード、１４…ディスプレイ、１６…外付ＨＤＤ装置、１７…ＭＯドライブ装置、１８…フラッシュメモリカード。
【図１】
2005157477.tif 000003
【図２】
2005157477.tif 000004
【図３】
2005157477.tif 000005
【図４】
2005157477.tif 000006
【図５】
2005157477.tif 000007